(57)【要約】      （修正有）【課題】トルマリンやチタンが有する効果を、肌の深層部まで強く浸透させるとともに、人体のバランス感覚を向上させ美顔効果をも併せて向上させられる健康パワーグリップを提供する。【解決手段】チタン素材１１を棒状とすると共に、その中腹部１１Ａを楕円状に膨出させた形状とし、上記チタン素材１１は、チタン金属、チタン合金、チタン化合物、チタン鉱物の１つからなるものである。チタン素材を棒状とし、その中腹部を楕円状に膨出させた形状としたから、手でグリップした時の安定した把持と、トルマリンやチタンが有する各種の複合効果を手の平や肌の深層部まで強く浸透でき、人体のバランス感覚が飛躍的に向上できる。【選択図】図１
0003180111.tif 000002
【実用新案登録請求の範囲】
【請求項１】
チタン素材を棒状とすると共に、その中腹部を楕円状に膨出させた形状としたことを特徴とする健康パワーグリップ。
【請求項２】
上記チタン素材は、チタン金属、チタン合金、チタン化合物、チタン鉱物の１つからなることを特徴とする請求項１記載の健康パワーグリップ。
【請求項３】
チタン素材を中空の棒管とすると共に、この中空内にトルマリンを充填させてなることを特徴とする健康パワーグリップ。
【請求項４】
上記チタン素材の片端部に、アイテム用の小孔を開けたことを特徴とする請求項１または３記載の健康パワーグリップ。
【請求項５】
上記チタン素材の棒状の中腹部叉は上記チタン素材の中空の棒管は、その外周面の半面側を複数の凹凸面からなる手形グリップ形状としたことを特徴とする請求項１または３記載の健康パワーグリップ。
【請求項６】
上記チタン素材はチタン金属、チタン合金、チタン化合物、チタン鉱物の１つからなり、上記トルマリンはショールトルマリン、リチアトルマリン、ドラバイトトルマリンの１つからなることを特徴とする請求項３記載の健康パワーグリップ。
【請求項７】
棒状としたチタン素材叉は棒管としたチタン素材の中空内にトルマリンを充填させてなる健康パワーグリップにおいて、上記二つの健康パワーグリップをコイル状の弾性体の両端に略Ｖ字状に片持ち連結させたことを特徴とする請求項１または３または５記載の健康パワーグリップ。
【請求項８】
棒状としたチタン素材叉は棒管としたチタン素材の中空内にトルマリンを充填させてなる健康パワーグリップにおいて、上記二つの健康パワーグリップを伸縮性の大きな合成樹脂紐の両端に片持ち連結させたことを特徴とする請求項１または３または５記載の健康パワーグリップ。
【請求項９】
棒状としたチタン素材叉は棒管としたチタン素材の中空内にトルマリンを充填させてなる健康パワーグリップにおいて、上記二つの健康パワーグリップを相互に回転自在に一直線状に連結させたことを特徴とする請求項１または３または５記載の健康パワーグリップ。
【請求項１０】
棒状としたチタン素材叉は棒管としたチタン素材の中空内にトルマリンを充填させてなる健康パワーグリップにおいて、上記健康パワーグリップの複数個を短身形状とすると共に、上記健康パワーグリップの複数個を回転自在に健康パワーグリップで形成したホルダの先端片側に保持させてなることを特徴とする請求項１または３または５記載の健康パワーグリップ。
【請求項１１】
棒状としたチタン素材叉は棒管としたチタン素材の中空内にトルマリンを充填させてなる健康パワーグリップにおいて、上記健康パワーグリップを杖の頭部に連結させたことを特徴とする請求項１または３または５記載の健康パワーグリップ。
【請求項１２】
棒状としたチタン素材叉は棒管としたチタン素材の中空内にトルマリンを充填させてなる健康パワーグリップにおいて、上記健康パワーグリップを松葉杖の握り部に使用したことを特徴とする請求項１または３または５記載の健康パワーグリップ。
【考案の詳細な説明】
【技術分野】
【０００１】  本考案は、チタンやトルマリンを含有させた健康用具（健康リング）に関し、特に、人体のバランス感覚を向上させるとともに美顔効果をも併せて向上できるようにした健康パワーグリップを提供するものである。
【背景技術】
【０００２】  近年、チタンやトルマリンを含有させた健康リングが数多く商品化されている。この健康リングは、ネックレスやブレスレットとして首や手首に装着し、チタンのイオン化傾向（生体電流を整える）やトルマリン（電気石）のマイナスイオン効果や遠赤外線放出効果により、血行を改善して肩こり改善や冷え性の改善効果等の人体に対する多くの効果が有るとしている。【０００３】  上記公知となっている健康リングの構成を幾つか紹介する。先ず、トルマリンと有用バクテリア夫々片方では発現しない潜在効果を引き出すことができる健康リングは、熱可塑性エラストマーにトルマリン及び有用バクテリア含有セラミックスを混練した樹脂組成物を環状に成形したものである（例えば、特許文献１参照。）。【０００４】  更に、両手で把持した際の幅間隔を選択でき、またグリップ性を向上し、手足以外の身体部分の各種トレーニング、リハビリテーション等に使用できるトレーニング器具とした。その構成は、ほぼ並行状で相対向した一対の第１グリップ部と、該第１グリップ部それぞれの両端部同士を接続すると共に、第１グリップ部相互の間隔に比し狭くしてほぼ並行状に、さらにはやや窄まり状に相対向した一対の第２グリップ部とを有し、これらの第１グリップ部、第２グリップ部を一体にループ状に構成する。第１グリップ部は直線状もしくは緩やかな曲線状に形成し、第２グリップ部は中央部分同士が互いに内方向に向けて窄まり、且つこの窄まり方向に対してほぼ直交する方向で弓形に湾曲して全体が略リーフ型形状を呈するように構成する。また、必要に応じて相対向する第１グリップ部のうちの一方側には錘体を設けたものである（例えば、特許文献２参照。）。【０００５】  更に、血行促進などに有効なチタン素材、トルマリンを、より簡便な方法で応用した、チタン素材入り健康リングがある。その構成は、チタン素材入り健康リングは、チタン素材から選ばれた少なくとも一種の金属乃至無機物を内部に含有する材料により製作された紐と、連結具からなることを特徴とするチタン素材入り健康リングであり、材料が弾性材料であり、チタン素材としては、チタン金属、チタン化合物、チタンを化合物の形で含有するチタン鉱物としたものである（例えば、特許文献３参照。）。【０００６】  更に、ローラーと顔面との間にできるだけ隙間を作らないようにし、顔面に接触する部分が多い、美顔用マッサージ器がある。その構成は、ローラー部と、把手部と、ローラー部と把手部とを連結する連結軸部とよりなる美顔用マッサージ器であって、ローラー部はチタニウム製又は純プラチナ、又は純金メッキを施した円筒形ローラーでローラーの先端を閉塞し、ローラーの円周を４等分した外周面の軸線方向に円弧溝を刻設してローラーの外周面に４個の凸面を形成し、凸面に小穴を凹設し、前記小穴に表面を研磨したゲルマニウム粒子を突設し、ローラーの先端面にも表面を研磨したゲルマニウム粒子を突設し、ローラー外周面のゲルマニウム粒子と相隣る凸面のゲルマニウム粒子とを軸線方向で同位置にならないようにずらして配置し、ローラー先端を金属で閉塞し、ローラー表面を純プラチナ、純金、純チタニウムなどでメッキしたものである（例えば、特許文献４参照。）。【��００７】  更に、自動車や船・航空機のハンドルに、凹凸のあるグリップ部を装備し、手で握ったり回転したりすることで、指や手首に刺激を与え、精神的緊張感やいらつき、居眠りを防止する健康グリップハンドルがある。この構成は、自動車・船・航空機などの円形ハンドル部丸棒の一部両側に雄ネジをもちその部位に雌ネジをもつ凹凸のあるグリップを取り付け、更にグリップ部上下方に、ストッパー機能をもつ金属性又は硬化樹脂性の健康グリップハンドルとしたものである（例えば、特許文献５参照。）。
【先行技術文献】
【特許文献】
【０００８】
【特許文献１】  特開２００３−９３１１８号公報
【特許文献２】  特開２００７−４９２号公報
【特許文献３】  実用新案登録第３１１０１１２号公報
【特許文献４】  特開２０１０−１７８９６１号公報
【特許文献５】  実開平６−６１６５１号公報
【考案の概要】
【考案が解決しようとする課題】
【０００９】  上記特開２００３−９３１１８号の健康リングは、トルマリン及び有用バクテリア含有セラミックスを混練した樹脂組成物を環状に成形したブレスレットであり、実用新案登録第３１１０１１２号のチタン素材入り健康リングでは、チタン素材から選ばれた少なくとも一種の金属乃至無機物を内部に含有する材料により製作された紐と、連結具からなるネックレスである。しかしながら、上記ブレスレットやネックレスは、肌における表面に軽く・ルーズに触れているだけであるから、トルマリンやチタンが有する効果が肌の表面に止まり、深層部まで至る深層効果が余り望めないと言う問題が解決されていない。【００１０】  また、上記特開２００７−４９２号のトレーニング器具では、身体部分の各種トレーニング、リハビリテーション等に使用できるものであり、トルマリンやチタンを含有していないから、トルマリンやチタンの持つ効果は期待できない。従って、積極的にトレーニング器具により身体の各部の筋肉トレーニングによる筋肉増強機能に限定され、トルマリンやチタンの持つ効果が期待できない。【００１１】  更に、上記特開２０１０−１７８９６１号公報の美顔用マッサージ器は、主に顔面（頬）の表面をローラー部で転がして肌に弱い刺激を与えながら、ローラー部に含有するチタンやプラチナ、ゲルマニウム粒子の肌効果を有効利用するものである。しかし、肌を強く押し付けて肌の深層部まで強い効果を浸透させる作用は期待できないと言う問題が解決されていない。【００１２】  更に、実開平６−６１６５１号公報の自動車や船・航空機の健康グリップハンドルは、凹凸のあるグリップ部を装備し、手で握ったり回転したりすることで、指や手首に刺激を与え、精神的緊張感やいらつき、居眠りを防止する効果があるとされている。しかし、凹凸のあるグリップ部は、ハンドルの左右二箇所の限定された位置だけにあり、運転中に常に凹凸のあるグリップ部を握っている保証は無く、期待される程の効果が得られ難いと言う問題が解決されていない。【００１３】  本考案は、上記各公知例における問題点に鑑みてなされたもので、特に、トルマリンやチタンが有する効果を、肌の深層部まで強く浸透させることで、人体のバランス感覚を向上させるとともに美顔効果をも併せて向上させられる健康パワーグリップを提供するものである。
【課題を解決するための手段】
【００１４】  上記目的を達成するべく本考案の請求項１による健康パワーグリップは、チタン素材を棒状とすると共に、その中腹部を楕円状に膨出させた形状としたことを特徴とする。【００１５】  また、本考案の請求項２の健康パワーグリップは、請求項１記載の健康パワーグリップにおいて、上記チタン素材は、チタン金属、チタン合金、チタン化合物、チタン鉱物の１つからなることを特徴とする。【００１６】  また、本考案の請求項３による健康パワーグリップは、チタン素材を中空の棒管とすると共に、この中空内にトルマリンを充填させてなることを特徴とする。【００１７】  また、本考案の請求項４による健康パワーグリップは、請求項１または３記載の健康パワーグリップにおいて、上記チタン素材の片端部に、アイテム用の小孔を開けたことを特徴とする。【００１８】  また、本考案の請求項５による健康パワーグリップは、請求項１または３記載の健康パワーグリップにおいて、上記チタン素材の棒状の中腹部叉は上記チタン素材の中空の棒管は、その外周面の半面側を複数の凹凸面からなる手形グリップ形状としたことを特徴とする。【００１９】  また、本考案の請求項６の健康パワーグリップは、請求項３記載の健康パワーグリップにおいて、上記チタン素材はチタン金属、チタン合金、チタン化合物、チタン鉱物の１つからなり、上記トルマリンはショールトルマリン、リチアトルマリン、ドラバイトトルマリンの１つからなることを特徴とする。【００２０】  また、本考案の請求項７の健康パワーグリップは、請求項１または３または５記載の健康パワーグリップにおいて、棒状としたチタン素材叉は棒管としたチタン素材の中空内にトルマリンを充填させてなる健康パワーグリップにおいて、上記二つの健康パワーグリップをコイル状の弾性体の両端に略Ｖ字状に片持ち連結させたことを特徴とする。【００２１】  また、本考案の請求項８の健康パワーグリップは、請求項１または３または５記載の健康パワーグリップにおいて、棒状としたチタン素材叉は棒管としたチタン素材の中空内にトルマリンを充填させてなる健康パワーグリップにおいて、上記二つの健康パワーグリップを伸縮性の大きな合成樹脂紐の両端に片持ち連結させたことを特徴とする。【００２２】  また、本考案の請求項９の健康パワーグリップは、請求項１または３または５記載の健康パワーグリップにおいて、棒状としたチタン素材叉は棒管としたチタン素材の中空内にトルマリンを充填させてなる健康パワーグリップにおいて、上記二つの健康パワーグリップを相互に回転自在に一直線状に連結させたことを特徴とする。【００２３】  また、本３案の請求項１０の健康パワーグリップは、請求項１または３または５記載の健康パワーグリップにおいて、棒状としたチタン素材叉は棒管としたチタン素材の中空内にトルマリンを充填させてなる健康パワーグリップにおいて、上記健康パワーグリップの複数個を短身形状とすると共に、上記健康パワーグリップの複数個を回転自在に健康パワーグリップで形成したホルダの先端片側に保持させてなることを特徴とする。【００２４】  また、本考案の請求項１１の健康パワーグリップは、請求項１または３または５記載の健康パワーグリップにおいて、上記健康��ワーグリップを杖の頭部に連結させたことを特徴とする。【００２５】  また、本考案の請求項１２の健康パワーグリップは、請求項１または３または５記載の健康パワーグリップにおいて、上記健康パワーグリップを松葉杖の握り部に使用したことを特徴とする。
【考案の効果】
【００２６】  本考案の請求項１〜６の健康パワーグリップによると、チタン素材を棒状とし、その中腹部を楕円状に膨出させた形状としたから、手でグリップした時の安定した把持と、トルマリンやチタンが有する各種の複合効果を手の平や肌の深層部まで強く浸透でき、人体のバランス感覚が飛躍的に向上できる。これにより、腰掛の立ち座りや階段の上り下り、平地の歩行もバランス良くでき、筋肉増強が期待できる。更に、本考案の健康パワーグリップによると、健康パワーグリップの片端部にアイテム用の小孔を開けたから、この小孔にキーホルダー等のアイテムを付けてオシャレ感覚で持ち歩きできるし、ループ状のストラップにすれば、手首に掛けて安全に持ち運べる。また、健康パワーグリップの表面をカラフルな色彩にすることで、更に可愛いアクセサリー用具ともなる。更に、上記チタン素材の棒状の中腹部叉は上記チタン素材の中空の棒管は、その外周面の半面側を複数の凹凸面からなる手形グリップ形状とすれば、健康パワーグリップを握った時の把持力が更に確実なものとなり、手から抜け難くなるばかりか、手の指の深層部までチタンやトルマリンの効果が一層強く浸透できる。【００２７】  また、請求項７の健康パワーグリップによると、各関節の筋肉トレーニング効果と手でグリップした時の安定した把持と、トルマリンやチタンが有する各種の複合効果を手の平や肌の深層部まで強く浸透でき、人体のバランス感覚を飛躍的に向上できる。
更に、請求項８の健康パワーグリップによると、身体の両腕や各関節の筋肉トレーニング効果と手でグリップした時の安定した把持と、トルマリンやチタンが有する各種の複合効果を手の平や肌の深層部まで強く浸透でき、人体のバランス感覚を飛躍的に向上できる。【００２８】  本考案の請求項９と１０の健康パワーグリップは、該健康パワーグリップを美顔ローラや身体の各部位のシェープアップローラにも採用でき、トルマリンやチタンが有する各種の複合効果を手の平や顔面他の肌の深層部まで強く浸透でき、高い美肌効果や弛んだ腹部他の引き締め効果が得られる。【００２９】  本考案の請求項１１と１２の健康パワーグリップは、健康パワーグリップを杖の頭部や松葉杖の握り部に連結させた歩行補助具に使用したから、杖や松葉杖のグリップに存在するトルマリンやチタンが持つ各種の複合効果を手の平や肌の深層部まで強く浸透される。しかして、上記杖や松葉杖によると、人体のバランス感覚が飛躍的に向上し、椅子や便座への立ち座りや階段の上り下り、平地の歩行時に使用される従来の杖の単なる歩行補助具に止まらず、歩行の安全と筋肉増強のリハビリ効果が期待できる。
【図面の簡単な説明】
【００３０】
【図１】  本考案の第１の実施の形態を示し、健康パワーグリップの斜視図である。
【図２】  本考案の第２の実施の形態を示し、健康パワーグリップの断面図である。
【図３】  本考案の第１と第２の実施の形態の健康パワーグリップの使用法の斜視図である。
【図４】  本考案の第３の実施の形態を示し、健康パワーグリップを二股グリップとした斜視図である。
【図５】  本考案の第３の実施の形態を示し、二股グリップの使用法の斜視図である。
【図６】  本考案の第４の実施の形態を示し、健康パワーグリップを伸縮バンドに繋いだ斜視図である。
【図７】  本考案の第４の実施の形態を示し、伸縮バンドの使用法の斜視図である。
【図８】  本考案の第５の実施の形態を示し、健康パワーグリップを美顔ローラーに使用の斜視図である。
【図９】  本考案の第５の実施の形態を示し、美顔ローラーの使用法の斜視図である。
【図１０】  本考案の第６の実施の形態を示し、健康パワーグリップを美顔ローラーに使用の斜視図である。
【図１１】  本考案の第６の実施の形態を示し、美顔ローラー使用法の斜視図である。
【図１２】  本考案の第７の実施の形態を示し、健康パワーグリップを短寸としブレスレッドの一部に装着させた斜視図である。
【図１３】  本考案の第８の実施の形態を示し、健康パワーグリップを偏平な円板状とし腕時計の裏蓋に装着する斜視図である。
【図１４】  本考案の第７，８の実施の形態における作用を示す斜視図である。
【図１５】  本考案の第９の実施の形態を示し、健康パワーグリップを杖の頭部や松葉杖の握り部に連結した斜視図である。
【図１６】  本考案の第１０の実施の形態を示し、健康パワーグリップを手形グリップ形状とし各用具に備えた斜視図である。
【考案を実施するための最良の形態】
【００３１】  以下、図１乃至図１６を参照して本考案の健康パワーグリップについて、各実施の形態を順次に説明する。
【実施例】
【００３２】  本考案の第１の実施の形態となる健康パワーグリップは、図１に示す。健康パワーグリップ１０は、チタン素材１１を棒状とすると共に、その中腹部１１Ａを楕円状に膨出させた形状としたものである。上記チタン素材１１は、チタン金属、チタン合金、チタン化合物、チタン鉱物、ゲルマニウム等の１つからなる。更に、上記チタン素材１１の片端部１１Ｂに、小孔ｈが開けられている。この小孔には、キーホルダーＫやループ状のバンド、ストラップ等のアイテムＡが付けられている。更に、健康パワーグリップ１０の表面は、カラフルな色彩（例えば、赤、ピンク、ブルー、イエロー、グリーン、ゴールド他）に表面処理されている。【００３３】  また、第２の実施の形態となる健康パワーグリップ２０は、図２に示す。この健康パワーグリップ２０は、チタン素材１１を中空の棒管状１２とすると共に、この中空１３内にトルマリン２２を充填させ、キャツプ１４にて閉塞してなる。上記チタン素材は、チタン金属、チタン合金、チタン化合物、チタン鉱物、ゲルマニウム等の１つからなる。上記トルマリンはショールトルマリン、リチアトルマリン、ドラバイトトルマリンの１つからなる。更に、上記チタン素材１１のキャツプ１４となる片端部１１Ｂには、キーホルダーＫやループ状のバンド、ストラップ等のアイテムＡを吊るす小孔ｈが開けられている。更に、健康パワーグリップの表面は、カラフルな色彩（例えば、赤、ピンク、ブルー、イエロー、グリーン、ゴールド他）に表面処理されている。【００３４】  上記健康パワーグリップ１０，２０による作用と効果を説明する。図３に示すように、チタン素材１１を棒状とし、その中腹部１１Ａを楕円状に膨出させた形状としたから、手Ｈでグリップした時の安定した把持と、トルマリンやチタンが有する各種の複合効果を手の平や肌の深層部まで強く浸透できる。即ち、トルマリンによるマイナスイオンを創り出して体質改善効果と、チタンによるイオン化傾向による健康促進、代謝促進などの効果が得られる。更に、人体のバランス感覚をも向上できる。これにより、腰掛の立ち座りや階段の上り下り、平地の歩行もバランス良くでき、筋肉増強が期待できる。
そして、本考案の健康パワーグリップ１０，２０によると、健康パワーグリップの片端部１１Ｂに小孔ｈを開けたから、この小孔にキーホルダーＫやループ状のバンド、ストラップ等のアイテムＡを付けてオシャレ感覚で持ち歩ける。また、ループ状のストラップによれば、手首に掛けて安全に持ち運べる。更に、健康パワーグリップ１０，２０の表面をカラフルな色彩（例えば、赤、ピンク、ブルー、イエロー、グリーン、ゴールド他）で装飾することで、持ち運び時には、可愛いアクセサリー用具ともなる。【００３５】  上記健康パワーグリップ１０，２０による人体のバランス感覚の改善と歩行困難者のリハビリ効果の臨床結果を下記に述べる。
（Ｉ）、膝や腰を痛めて、杖無しでは歩行困難な者が上記健康パワーグリップ１０，２０を片手に握り、バランス感覚を高めた状態で、椅子やトイレの便座に対する立ち座りの動作や歩行訓練を一か月程繰り返した結果、膝や腰、太股等の筋力が増強されて杖無しで歩行や椅子等の立ち座りが可能となった。そればかりか、上記健康パワーグリップ１０，２０を握らなくても良くなり、短期間に大幅な身体の改善効果が認められた。
（ＩＩ）、現在、病院のリハビリ病棟では、各種器具を使用して歩行困難者に対する歩行訓練や足腰や腕の筋肉トレーニングが毎日行われている。しかし、日々において、目に見えての改善効果は期待できず、長期間の筋肉増強と歩行訓練が行われている。しかし、上記健康パワーグリップ１０，２０を片手に握り、バランス感覚を高めた状態で、歩行訓練を一か月程繰り返した結果、膝や腰、太股等の筋力が増強されて杖や歩行補助具を使用しなくても歩行や掎子等の立ち座りが可能な改善効果が認められた。
従って、病院のリハビリ病棟での患者さんに対するリハビリ時には、上記健康パワーグリップ１０，２０の使用が必須なアイテムと言える。【００３６】  上記健康パワーグリップ１０，２０に限定されず、上記健康パワーグリップ１０，２０を巧みに使用した健康・美容用具３０，４０，５０，６０とすることができる。
先ず、図４に示す健康・美容用具３０は、健康パワーグリップ１０叉は２０を使用したもので、二つの健康パワーグリップをコイル状の弾性体３１の両端に略Ｖ字状に片持ち連結させたものである。【００３７】  上記健康パワーグリップ１０，２０を使用した健康・美容用具３０によると、図５に示すように、左手Ｈ２叉は右手Ｈ１の手の平の中に２つの健康パワーグリップ１０，２０を包み込んで握り、弾性体３１のバネ力に抗して強く握り締めたり・緩めたりの握り動作を繰り返す。これにより、手でグリップした時の各指の筋肉トレーニングとともに安定した把持が行え、トルマリンやチタンが有する各種の複合効果を手の平や肌の深層部まで強く浸透でき、更に、人体のバランス感覚も向上できる。【００３８】  上記健康パワーグリップ１０，２０を使用した健康・美容用具４０は、図６に示すように、上記二つの健康パワーグリップを伸縮性の大きな合成樹脂紐４１の両端に片持ち連結させたものである。【００３９】  上記健康パワーグリップ１０，２０を使用した健康・美容用具４０によると、図７に示すように、右手Ｈ１叉は左手Ｈ２の手の平の中に２つの健康パワーグリップ１０，２０を包み込んで握り、伸縮性の大きな合成樹脂紐４１のバネ力に抗して強く拡げたり緩めたりの動作を繰り返す。これにより、手Ｈでグリップした時、各腕や胸・背中の筋肉トレーニングとともに安定した把持が行え、トルマリンやチタンが有する各種の複合効果を手の平や肌の深層部まで強く浸透でき、更に、人体のバランス感覚も向上できる。【００４０】  上記健康パワーグリップ１０，２０を使用した健康・美容用具５０は、図８に示すように、上記二つの健康パワーグリップ１０，２０を、その接続部Ｊ１，Ｊ２で相互に回転自在に一直線状に連結させたものである。【００４１】  上記健康パワーグリップ１０，２０を使用した健康・美容用具５０によると、図９に示すように、右手Ｈ１叉は左手Ｈ２の手の平の中に健康パワーグリップ１０叉は２０の１つを包み込んで握り、他方の健康パワーグリップ２０叉は１０の１つを手の平や手の甲、手首、顔面Ｆや腕や腿や脹脛等の人体のツボが存在する部位に対して転がし動作を繰り返す。これにより、手Ｈでグリップした時、手の平や手の甲、手首、顔面Ｆや腕や腿や脹脛等の人体のツボのマッサージとともに安定した把持が行え、トルマリンやチタンが有する各種の複合効果を手の平や肌の深層部まで強く浸透でき、更に、人体のバランス感覚も向上できる。【００４２】  上記健康パワーグリップ１０，２０を使用した健康・美容用具６０は、図１０に示すように、把手Ｈ４を健康パワーグリップ１０叉は２０で形成したホルダＨ０とする。そして、上記健康パワーグリップ１０，２０を短身形状１０´，２０´とすると共に、これを回転自在に、ホルダＨ０の先端片面Ｈ３に保持させたものである。【００４３】  上記健康パワーグリップ１０，２０を使用した健康・美容用具６０によると、図１１に示すように、右手Ｈ１叉は左手Ｈ２の手の平の中にホルダＨ０となる健康パワーグリップ１０叉は２０の１つを包み込んで握り、他方の先端片面Ｈ３に設けた複数個の健康パワーグリップ１０´，２０´で顔面Ｆや腕や腿や脹脛等の人体のツボが存在する部位に対し��転がし動作を繰り返す。これにより、手Ｈでグリップした時、手の平や手の甲、手首、顔面Ｆや腕や腿や脹脛等の人体のツボのマッサージとともに安定した把持が行え、トルマリンやチタンが有する各種の複合効果を手の平や手の甲、手首、肌の深層部まで強く浸透でき、更に、人体のバランス感覚も向上できる。【００４４】  本考案は、上記健康パワーグリップ１０，２０に見るように、棒状としたものに限定して説明したが、これを腕時計やブレスレットのように、手首に嵌める腕輪の一部に装着させることも可能である。図１２は、本考案の第７の実施の形態で、健康パワーグリップ１０，２０を短寸とし、これをブレスレッド７０の一部に装着したものである。その構成は、伸縮性のゴム紐７１に多数の数珠球７２を一列に並べるとともに、その中央位置に短身状パワーグリップ７３叉は数珠状パワーグリップ７４が１個から複数個を挿入されている。
しかして、図１４（ａ）に示すように、手首７７に嵌めたブレスレッド７０の短身状パワーグリップ７３叉は数珠状パワーグリップ７４を、手Ｈの手の甲側となる手首の着け根位置に存在する陽池（ツボ）Ｐに合わせる。これにより、トルマリンやチタンのイオン化傾向で人体の生体電流を整え、人体に刺激を与えてボディ・バランスが改善されるとともに、健康増進（例えば、冷え性改善他、人体の数々の改善効果）が図れる。【００４５】  本考案の第８の実施の形態を図１３に示し、健康パワーグリップ１０，２０を偏平な円板状パワーグリップ８２とし、これを腕時計８０の裏蓋８１の表面に装着したものである。勿論、円板状パワーグリップ８２は、その外周即ち直径を裏蓋８１とほぼ同一か、少し小さ目に造られている。即ち、紳士用時計と婦人用時計の裏蓋の形状に合わせて、数種類の寸法形状に造られる。また、円板状パワーグリップ８２を裏蓋８１に装着する構成は、円板状パワーグリップ８２の裏面８２Ａに接着剤８３を練り付けたり、両面接着テープ円板８４を貼り付けたり、磁気シート８５を吸着させる各種手段が採用される。【００４６】  しかして、図１４（ｂ）に示すように、手首７７に嵌めた腕時計８０の裏蓋の表面に円板状パワーグリップ８２が貼り付けられていると、この円板状パワーグリップ８２が手首Ｈの手の甲側となる手首の着け根位置に存在する陽池（ツボ）Ｐに自動的に合わせられる。これにより、トルマリンやチタンのイオン化傾向で人体の生体電流を整え、人体に刺激を与えてボディ・バランスが改善されるとともに、健康増進（例えば、冷え性改善他、人体の数々の改善効果）が図れる。【００４７】  尚、設計変更例として、裏蓋８１そのものを円板状パワーグリップ８２の素材を利用して別途製造し、後から既存の時計の裏蓋と交換可能としても良い。市場には、新品（製造段階）の時計の裏蓋にチタンやトルマリンを混入させものを採用する製造方法とその商品が見られるが、この方法によると、裏蓋にチタンやトルマリンを混入しない既存の腕時計には適用されず、新たに時計を購入せねばならないと言う問題点がある。
しかし、本考案のように、健康パワーグリップ１０，２０を偏平な円板状パワーグリップ８２とし、これを腕時計８０の裏蓋８１の表面に貼着するとか、円板状パワーグリップ８２を時計の裏蓋とすれば、極めてリーズナブルに一般の時計をチタンやトルマリン混入の時計に改造出来る。【００４８】  本考案の第９の実施の形態を図１５に示す。この実施例は、健康パワーグリップ１０叉は２０を杖９０の頭部９０Ａに連結させたものである。図１５（ａ）は、健康パワーグリップ１０叉は２０を杖９０の頭部９０Ａに一直線状に連結させたものである。また、図１５（ｂ）は、健康パワーグリップ１０叉は２０を杖９０´の頭部９０Ａ´に略Ｔ字状に連結させたものである。また、図１５（ｃ）は、健康パワーグリップ１０叉は２０を松葉杖９２の握り部９３に使用したものである。【００４９】  上記健康パワーグリップ１０叉は２０を杖９０，９０´の頭部９０Ａ，９０Ａ´に連結したり、松葉杖９２の握り部９３に使用することで、杖や松葉杖のグリップに存在するトルマリンやチタンが持つ各種の複合効果を手の平や肌の深層部まで強く浸透される。しかして、上記杖や松葉杖によると、人体のバランス感覚が飛躍的に向上し、椅子や便座への立ち座りや階段の上り下り、平地の歩行時に使用される従来の杖の単なる歩行補助具に止まらず、歩行の安全と筋肉増強のリハビリ効果が期待できる。【００５０】  本考案の第１０の実施の形態を図１６に示す。この実施例は、健康パワーグリップ１０叉は２０において、上記チタン素材１１の棒状の中腹部１１Ａ叉は上記チタン素材１１の中空の棒管１２は、その外周面の半面側を複数の凹凸面Ｍからなる手形グリップ形状の健康パワーグリップ１５，２５としたものである。この健康パワーグリップ１５，２５は、上記健康パワーグリップ１０，２０に替えて、各実施例３０，４０，５０，６０，９０，９０´，９２に採用される。【００５１】  これにより、上記チタン素材１１の棒状の中腹部１１Ａ、叉は上記チタン素材１１の中空の棒管１２は、その外周面の半面側を複数の凹凸面Ｍからなる手形グリップ形状の健康パワーグリップ１５叉は２５としたから、この健康パワーグリップを握った時の把持力が更に確実なものとなり、手から抜け難くなるばかりか、手の指の深層部までチタンやトルマリンの効果が一層強く浸透できる。
【産業上の利用可能性】
【００５２】  本考案は、その対象を主に、人体における手の平内の効果としての実施例で説明したものであるが、人体における様々な部位を対象としての適用が可能である。
【符号の説明】
【００５３】１０，２０        健康パワーグリップ
１０´，２０´    短身形状の健康パワーグリップ
１１              チタン素材
１１Ａ            中腹部
１１Ｂ            片端部
１２              棒管
１３              中空
２２              トルマリン
１５，２５        手形グリップ形状の健康パワーグリップ
３０              健康・美容用具
４０，５０，６０  健康・美容用具
３１              弾性体
４１              合成樹脂紐
７０              ブレスレット
７１              伸縮性のゴム紐
７２              数珠球
７３              短身状パワーグリップ
７４              数珠状パワーグリップ
７７              手首
８０              腕時計
８１              裏蓋
８２              円板状パワーグリップ
８２Ａ            裏面
８３              接着剤
８４              両面接着テープ円板
８５              磁気シート
９０，９０´      杖
９０Ａ，９０Ａ´  頭部
９２              松葉杖
９３              握り部
Ａ                アイテム
Ｆ                顔面
Ｊ１，Ｊ２        接続部
Ｋ                キーホルダー（ストラップ）
ｈ                小孔
Ｈ                手
Ｈ１              右手
Ｈ２              左手
Ｈ０              ホルダ（健康パワーグリップで構成）
Ｈ３              先端片面
Ｈ４              把手
Ｍ                凹凸面
Ｐ                陽池（ツボ）
【図１】
0003180111.tif 000003
【図２】
0003180111.tif 000004
【図３】
0003180111.tif 000005
【図４】
0003180111.tif 000006
【図５】
0003180111.tif 000007
【図６】
0003180111.tif 000008
【図７】
0003180111.tif 000009
【図８】
0003180111.tif 000010
【図９】
0003180111.tif 000011
【図１０】
0003180111.tif 000012
【図１１】
0003180111.tif 000013
【図１２】
0003180111.tif 000014
【図１３】
0003180111.tif 000015
【図１４】
0003180111.tif 000016
【図１５】
0003180111.tif 000017
【図１６】
0003180111.tif 000018